【手続補正書】
【提出日】令和3年5月24日(2021.5.24)
【手続補正１】
【補正対象書類名】明細書
【補正対象項目名】発明の名称
【補正方法】変更
【補正の内容】
【発明の名称】鍵盤楽器および鍵盤楽器の製造方法
【手続補正２】
【補正対象書類名】明細書
【補正対象項目名】０００１
【補正方法】変更
【補正の内容】
【０００１】
この発明は、電子ピアノなどの鍵盤楽器および鍵盤楽器の製造方法に関する。
【手続補正３】
【補正対象書類名】明細書
【補正対象項目名】０００５
【補正方法】変更
【補正の内容】
【０００５】
この発明が解決しようとする課題は、組立作業性を向上させることができる鍵盤楽器および鍵盤楽器の製造方法を提供することである。
【手続補正４】
【補正対象書類名】明細書
【補正対象項目名】０００６
【補正方法】変更
【補正の内容】
【０００６】
この発明は、一端側に設けられている力点部と、他端側に設けられている荷重点部と、前記力点部と前記荷重点部との間に設けられている支点部と、をそれぞれ有する複数のハンマー部材と、前記複数のハンマー部材を揺動可能に保持するハンマーホルダと、を有するハンマーユニットと、前記ハンマーホルダを取り付けるためのユニット載置部と、前記ハンマーホルダを前記ユニット載置部の下面に取り付けた状態において、押鍵操作に応じて前記ハンマー部材の前記荷重点部が上方へ移動した際に前記荷重点部と当接することにより前記複数のハンマー部材の揺動範囲の上限を規制する上限規制部材と、を有する鍵盤シャーシと、を備えた鍵盤楽器を組み立てる際に、前記鍵盤シャーシを上下反転させ、前記複数のハンマー部材を前記ハンマーホルダに取り付けた状態で、前記ハンマーユニットを上下反転させて持ち上げ、前記複数のハンマー部材それぞれの前記力点部側と前記ハンマーホルダの力点部側接点とを当接させることにより、前記複数のハンマー部材が所定角度以上に垂れ下がることのない所定の保持状態で前記複数のハンマー部材を前記ハンマーホルダに保持させ、前記所定の保持状態を維持したままで、上下反転している前記鍵盤シャーシの前記上限規制部材に上下反転している前記複数のハンマー部材の前記荷重点部を当接させた後に、上下反転している前記ハンマーホルダを上下反転している前記鍵盤シャーシのユニット載置部に載置させる、鍵盤楽器の製造方法である。
【手続補正５】
【補正対象書類名】特許請求の範囲
【補正対象項目名】全文
【補正方法】変更
【補正の内容】
【特許請求の範囲】
【請求項１】
一端側に設けられている力点部と、他端側に設けられている荷重点部と、前記力点部と前記荷重点部との間に設けられている支点部と、をそれぞれ有する複数のハンマー部材と、前記複数のハンマー部材を揺動可能に保持するハンマーホルダと、を有するハンマーユニットと、
前記ハンマーホルダを取り付けるためのユニット載置部と、前記ハンマーホルダを前記ユニット載置部の下面に取り付けた状態において、押鍵操作に応じて前記ハンマー部材の前記荷重点部が上方へ移動した際に前記荷重点部と当接することにより前記複数のハンマー部材の揺動範囲の上限を規制する上限規制部材と、を有する鍵盤シャーシと、
を備えた鍵盤楽器を組み立てる際に、
前記鍵盤シャーシを上下反転させ、
前記複数のハンマー部材を前記ハンマーホルダに取り付けた状態で、前記ハンマーユニットを上下反転させて持ち上げ、
前記複数のハンマー部材それぞれの前記力点部側と前記ハンマーホルダの力点部側接点とを当接させることにより、前記複数のハンマー部材が所定角度以上に垂れ下がることのない所定の保持状態で前記複数のハンマー部材を前記ハンマーホルダに保持させ、
前記所定の保持状態を維持したままで、上下反転している前記鍵盤シャーシの前記上限規制部材に上下反転している前記複数のハンマー部材の前記荷重点部を当接させた後に、上下反転している前記ハンマーホルダを上下反転している前記鍵盤シャーシのユニット載置部に載置させる、
鍵盤楽器の製造方法。
【請求項２】
前記所定の保持状態は、前記複数のハンマー部材それぞれにおける前記支点部と、前記荷重点部の他端と、の間の鍵の前後方向の長さが、前記支点部と、前記上限規制部材における前記支点部側の一端と、の間の前記鍵の前後方向の長さより長い状態である、
請求項１に記載の鍵盤楽器の製造方法。
【請求項３】
前記鍵盤シャーシを上下反転させて組立作業台の載置面上に載置させ、
前記複数のハンマー部材が前記ハンマーホルダに取り付けられた前記ハンマーユニットを上下反転させた状態で、前記ハンマーホルダの端部と前記複数のハンマー部材それぞれの前記荷重点部を前記載置面上に当接させることにより、前記ハンマーホルダを前記載置面上に安定した状態で載置させた後、前記ハンマーユニットを上下反転させたままで持ち上げて、上下反転している前記鍵盤シャーシのユニット載置部に載置させる、
請求項１または２に記載の鍵盤楽器の製造方法。
【請求項４】
前記ハンマーホルダは、前記複数のハンマー部材をそれぞれ保持するための複数の保持片を含み、
前記保持片の上端には複数の突起が設けられており、
前記ハンマーユニットを上下反転させた状態で、前記複数の突起と前記複数のハンマー部材それぞれの前記荷重点部が前記載置面上に当接することで、前記ハンマーホルダを前記載置面上に安定した状態で載置させる、
請求項３に記載の鍵盤楽器の製造方法。
【請求項５】
前記複数のハンマー部材は、少なくとも１つの白鍵用のハンマー部材と、前記少なくとも１つの白鍵用のハンマー部材とは形状が異なる少なくとも１つの黒鍵用のハンマー部材と、を含み、
前記複数の保持片が前記複数のハンマー部材を保持していない状態において、前記複数の保持片が前記少なくとも１つの白鍵用のハンマー部材及び前記少なくとも１つの黒鍵用のハンマー部材のいずれのハンマー部材を保持するかを識別するために、前記複数の保持片は、識別子を有しており、
前記識別子は、前記複数の保持片のうち前記少なくとも１つの白鍵用のハンマー部材を保持している一対の保持片の上端に設けられている前記複数の突起である、
請求項４に記載の鍵盤楽器の製造方法。
【請求項６】
前記ハンマーホルダは、前記ハンマーユニットが前記鍵盤シャーシに組み込まれていない状態において、前記複数のハンマー部材のそれぞれの前記荷重点部側に接する複数の荷重点部側接点を有することにより、前記複数のハンマー部材は、前記ハンマーユニットが前記鍵盤シャーシに組み込まれていない状態において、前記荷重点部側接点の位置から前記力点部側接点の位置までの自由揺動範囲内を揺動し、
前記ハンマーユニットが前記鍵盤シャーシに組み込まれた状態での前記押鍵操作に応じて、前記複数のハンマー部材が前記揺動範囲内を揺動する際に、前記複数のハンマー部材は、前記荷重点部側接点に接しない、
請求項１乃至５のいずれか一項に記載の鍵盤楽器の製造方法。
【請求項７】
請求項１乃至６のいずれか一項に記載の鍵盤楽器の製造方法を用いて製造された鍵盤楽器。
【請求項８】
一端側に設けられている力点部と、他端側に設けられている荷重点部と、前記力点部と前記荷重点部との間に設けられている支点部と、をそれぞれ有する複数のハンマー部材と、前記複数のハンマー部材を揺動可能に保持するハンマーホルダと、を有するハンマーユニットと、
前記ハンマーホルダを取り付けるためのユニット載置部と、前記ハンマーホルダを前記ユニット載置部の下面に取り付けた状態において、押鍵操作に応じて前記ハンマー部材の前記荷重点部が上方へ移動した際に前記荷重点部と当接することにより前記複数のハンマー部材の揺動範囲の上限を規制する上限規制部材と、を有する鍵盤シャーシと、
を備え、
上下反転させた前記鍵盤シャーシに上下反転させた前記ハンマーユニットを組み込む場合に、
前記複数のハンマー部材それぞれの前記力点部側と前記ハンマーホルダの力点部側接点とが当接することにより、前記複数のハンマー部材が所定角度以上に垂れ下がることのない所定の保持状態で前記複数のハンマー部材が前記ハンマーホルダに保持され、
前記所定の保持状態を維持したままで、上下反転している前記鍵盤シャーシの前記上限規制部材に上下反転している前記複数のハンマー部材の前記荷重点部を当接させた後に、上下反転している前記ハンマーホルダを上下反転している前記鍵盤シャーシのユニット載置部に載置させることが可能である、
鍵盤楽器。